Podtech/llm-jp-corpus-v4-ja_patent huggingface dataset:
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
色材を用いてプリントすることで再現物を生成するためのプリントデータを生成するプリントデータ生成装置であって、
複数の色成分に対応するＢＲＤＦを表すモデルを含むＢＲＤＦモデル群と、前記再現物を観察する環境における入射光の角度とを取得する取得手段と、
前記取得手段で取得した入射光の角度を前記ＢＲＤＦモデル群のモデル毎に適用することで、前記入射光の角度に応じた前記再現物の反射分布を算出する算出手段と、
前記算出手段で算出した反射分布に基づいて、前記ＢＲＤＦモデル群のモデル毎に前記再現物の表面に形成する色を示す色データを出力する色データ出力手段と、
前記算出手段で算出した反射分布に基づいて、前記ＢＲＤＦモデル群のモデル毎に前記再現物の形状を示す形状データを出力する形状データ出力手段と
を有することを特徴とするプリントデータ生成装置。
【請求項２】
前記形状データ出力手段は、前記色データ出力手段において出力される、処理対象のモデルの色データに対応する反射分布にさらに基づいて、前記処理対象のモデルの前記形状データを出力することを特徴とする請求項１に記載のプリントデータ生成装置。
【請求項３】
前記形状データ出力手段は、前記算出手段で算出した前記処理対象のモデルの反射分布と、前記処理対象のモデルの前記色データに対応する反射分布との比に基づいて形状データを出力することを特徴とする請求項２に記載のプリントデータ生成装置。
【請求項４】
前記比に用いられる反射分布は、異方性のスペキュラー成分の広がりを示すことを特徴とすることを特徴とする請求項３に記載のプリントデータ生成装置。
【請求項５】
前記形状データ出力手段は、前記比と形状モデルとを対応付けた形状テーブルを参照して前記形状モデルに対応する形状データを出力することを特徴とする請求項４に記載のプリントデータ生成装置。
【請求項６】
前記形状データ出力手段は、処理対象のモデルの回転角に応じて前記形状モデルを回転させた結果として得られる形状データを出力することを特徴とする請求項５に記載のプリントデータ生成装置。
【請求項７】
前記形状データ出力手段は、前記形状データとして処理対象のモデルを分割した面の面法線分布を出力することを特徴とする請求項１から６のいずれか一項に記載のプリントデータ生成装置。
【請求項８】
前記色データ出力手段は、色データと、拡散成分及びスペキュラー強度成分とを対応付けた色テーブルを用いて、前記算出手段で算出した前記反射分布が示す拡散成分及びスペキュラー強度成分に対応する色データを導出することを特徴とする請求項１から７のいずれか一項に記載のプリントデータ生成装置。
【請求項９】
前記色テーブルは、前記色データにそれぞれ対応する異方性のスペキュラー拡がり成分をさらに対応付けており、
前記色データ出力手段は、前記形状データ出力手段に、処理対象のモデルの色データに対応する異方性のスペキュラー拡がり成分を出力することを特徴とする請求項８に記載のプリントデータ生成装置。
【請求項１０】
前記形状データ出力手段で出力される形状データと、前記取得手段で取得した入射光の角度とに基づいて、影領域が生じるかを判定する判定手段と、
前記影領域が生じると判定された場合、前記形状データを補正する補正手段と
をさらに有することを特徴とする請求項１から９のいずれか一項に記載のプリントデータ生成装置。
【請求項１１】
前記色データ出力手段は、前記影領域が生じると判定された領域の形状が補正された後の領域の色データをさらに出力することを特徴とする請求項１０に記載のプリントデータ生成装置。
【請求項１２】
前記補正手段は、前記入射光の角度に応じて、形状データである面法線の傾きを補正することを特徴とする請求項１０または１１に記載のプリントデータ生成装置。
【請求項１３】
前記補正手段による補正においても影領域が生じてしまう場合、再現物の再現ができないこと、または再現することが可能な入射光の角度のうち少なくとも１つを使用者に報知する報知手段をさらに有することを特徴とする請求項１０から１２のいずれか一項に記載のプリントデータ生成装置。
【請求項１４】
色材を用いてプリントすることで再現物を生成するためのプリントデータを生成するプリントデータ生成方法であって、
複数の色成分に対応するＢＲＤＦを表すモデルを含むＢＲＤＦモデル群と、前記再現物を観察する環境における入射光の角度とを取得する取得ステップと、
前記取得ステップで取得した入射光の角度を前記ＢＲＤＦモデル群のモデル毎に適用することで、前記入射光の角度に応じた前記再現物の反射分布を算出する算出ステップと、
前記算出ステップで算出した反射分布に基づいて、前記ＢＲＤＦモデル群のモデル毎に前記再現物の表面に形成する色を示す色データを出力する色データ出力ステップと、
前記算出ステップで算出した反射分布に基づいて、前記ＢＲＤＦモデル群のモデル毎に前記再現物の形状を示す形状データを出力する形状データ出力ステップと
を有することを特徴とするプリントデータ生成方法。
【請求項１５】
コンピュータを、請求項１から１３のいずれか一項に記載のプリントデータ生成装置の各手段として機能させるためのプログラム。
【手続補正２】
【補正対象書類名】明細書
【補正対象項目名】０００７
【補正方法】変更
【補正の内容】
【０００７】
本発明に係るプリントデータ生成装置は、色材を用いてプリントすることで再現物を生成するためのプリントデータを生成するプリントデータ生成装置であって、複数の色成分に対応するＢＲＤＦを表すモデルを含むＢＲＤＦモデル群と、前記再現物を観察する環境における入射光の角度とを取得する取得手段と、前記取得手段で取得した入射光の角度を前記ＢＲＤＦモデル群のモデル毎に適用することで、前記入射光の角度に応じた前記再現物の反射分布を算出する算出手段と、前記算出手段で算出した反射分布に基づいて、前記ＢＲＤＦモデル群のモデル毎に前記再現物の表面に形成する色を示す色データを出力する色データ出力手段と、前記算出手段で算出した反射分布に基づいて、前記ＢＲＤＦモデル群のモデル毎に前記再現物の形状を示す形状データを出力する形状データ出力手段とを有することを特徴とする。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
複数の突極を備える鉄芯と、
複数の端子を備える整流子と、
一方の端子に接続された後、互いに隣接する前記複数の突極に巻回され、次いで前記一方の端子に隣接する他方の端子に接続される巻き線と、
を含むロータであって、
前記巻き線が前記突極に巻回される際に、前記巻き線は、巻き始めまたは巻き終わりの少なくともいずれか一方に１巻き以上巻回されることを特徴とするロータ。
【請求項２】
前記巻き始め及び前記巻き終わりの突極は、同じ突極であることを特徴とする請求項１記載のロータ。
【請求項３】
前記巻き始め及び前記巻き終わりの突極は、前記他方の端子に隣接する突極であり、前記巻き終わりにのみ１巻き以上巻回されることを特徴とする請求項２記載のロータ。
【請求項４】
前記巻き始め及び前記巻き終わりの突極は、前記一方の端子に隣接する突極であり、前記巻き始めにのみ１巻き以上巻回されることを特徴とする請求項２記載のロータ。
【請求項５】
前記巻き始めと前記巻き終わりとの突極は、異なる突極であることを特徴とする請求項１記載のロータ。
【請求項６】
前記巻き始めの突極は、前記一方の端子に隣接する突極であり、
前記巻き終わりの突極は、前記他方の端子に隣接する突極であり、
前記巻き始めに１巻き以上巻回され、
前記巻き終わりに１巻き以上巻回されることを特徴とする請求項５記載のロータ。
【請求項７】
前記ロータは、回転軸をさらに備え、
前記鉄芯は、前記回転軸に固定され、
前記整流子は、前記鉄芯から所定距離離間して前記回転軸に固定されることを特徴とする請求項１から６のいずれか一項に記載のロータ。
【請求項８】
前記端子は、前記整流子の径方向外方へ延びる突出部を含み、該突出部に前記巻き線が接続されることを特徴とする請求項７記載のロータ。
【請求項９】
前記巻き線は、絶縁層を介して前記突極に巻回されることを特徴とする請求項８記載のロータ。
【請求項１０】
前記突極は、前記鉄芯の径方向外側へ延び、
前記巻き線は、前記巻き始めよりも前記巻き終わりが前記突極の径方向外側に位置するように巻回されることを特徴とする請求項１から９のいずれか一項に記載のロータ。
【請求項１１】
請求項１から１０のいずれか一項に記載のロータを備えたことを特徴とするブラシ付き直流モータ。
【請求項１２】
複数の突極を備える鉄芯と、
複数の端子を備える整流子と、
前記突極に巻回される巻き線と、
を含むロータの製造方法であって、
前記巻き線を一方の端子に接続する接続工程と、
前記巻き線を隣接する前記複数の突極に巻回する巻回工程と、
前記巻き線を前記一方の端子に隣接する他方の端子に接続する接続工程と、
前記巻回工程で、前記巻き線の巻き始めまたは巻き終わりの少なくともいずれか一方で、前記巻き線を前記突極に１巻き以上巻回する工程と、
を含むことを特徴とするロータの製造方法。
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
識別情報の可変表示を行い、識別情報の可変表示の表示結果としてあらかじめ定められた特定表示結果が導出表示されたときに遊技者にとって有利な有利状態に制御する遊技機であって、
未だ開始されていない識別情報の可変表示に関する情報を保留記憶として記憶する保留記憶手段と、
前記特定表示結果が導出表示されるか否かを判定する事前判定手段と、
前記保留記憶手段に記憶されている保留記憶に対応する保留表示を表示する保留表示手段とを備え、
前記保留表示手段は、前記事前判定手段の判定にもとづいて、通常態様とは異なる複数種類の表示態様のいずれかにより保留表示を表示することが可能であり、
一の保留表示が前記通常態様とは異なる特定の表示態様により表示されている場合に、該一の保留表示とは異なる他の保留表示が所定の表示態様により表示されることを制限する制限手段をさらに備えることを特徴とする遊技機。
【手続補正２】
【補正対象書類名】明細書
【補正対象項目名】００１１
【補正方法】変更
【補正の内容】
【００１１】
(手段Ａ)上記目的を達成するため、本発明の遊技機は、識別情報の可変表示を行い、識別情報の可変表示の表示結果としてあらかじめ定められた特定表示結果が導出表示されたときに遊技者にとって有利な有利状態に制御する遊技機であって、未だ開始されていない識別情報の可変表示に関する情報を保留記憶として記憶する保留記憶手段と、前記特定表示結果が導出表示されるか否かを判定する事前判定手段と、前記保留記憶手段に記憶されている保留記憶に対応する保留表示を表示する保留表示手段とを備え、前記保留表示手段は、前記事前判定手段の判定にもとづいて、通常態様とは異なる複数種類の表示態様のいずれかにより保留表示を表示することが可能であり、一の保留表示が前記通常態様とは異なる特定の表示態様により表示されている場合に、該一の保留表示とは異なる他の保留表示が所定の表示態様により表示されることを制限する制限手段をさらに備えることを特徴とする遊技機。
（１）上記目的を達成するため、本発明の他の遊技機は、各々を識別可能な複数種類の識別情報（例えば、第１特別図柄や第２特別図柄、演出図柄）の可変表示を行い、識別情報の可変表示の表示結果としてあらかじめ定められた特定表示結果（例えば、大当り図柄）が導出表示されたときに遊技者にとって有利な特定遊技状態（例えば、大当り遊技状態）に制御する遊技機であって、未だ開始されていない識別情報の可変表示を保留記憶として記憶する保留記憶手段（例えば、第１保留記憶バッファや第２保留記憶バッファ）と、保留記憶手段に記憶されている保留記憶にもとづいて、特定表示結果が導出表示されるか否かを判定する事前判定手段（例えば、遊技制御用マイクロコンピュータ５６０がステップＳ２１８Ａ，Ｓ２１８Ｂを実行する部分）と、保留記憶手段に記憶されている保留記憶に対応する保留表示を表示する保留表示手段（例えば、第１保留記憶表示部１８ｃや第２保留記憶表示部１８ｄ）とを備え、保留表示手段は、事前判定手段の判定にもとづいて、通常態様とは異なる複数種類の表示態様（例えば、第１態様、第２態様または第３態様）のいずれかにより保留表示を表示することが可能であり、一の保留表示が通常態様とは異なる特定の表示態様（例えば、第３態様）により表示されている場合に、該一の保留表示とは異なる他の保留表示が所定の表示態様（例えば、第３態様）により表示されることを制限する制限手段（例えば、演出制御用マイクロコンピュータ１００がステップＳ９１１〜Ｓ９１５ｂ，Ｓ９１１〜Ｓ９２３ｂを実行する部分）をさらに備え、制限手段は、複数の態様で制限可能であることを特徴とする。そのような構成により、保留表示について複数の態様で制限可能であるため、演出が単調になることを防ぎ、興趣を高めることができる。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
大入賞口が開放される大役遊技の実行を可能とする大当たり結果、および、該大役遊技を不実行とするハズレ結果を少なくとも含むいずれかの抽選結果を導出する大役抽選が実行されると、複数の要素演出を含んで構成される変動演出が実行され、該変動演出中の各要素演出の実行可否もしくは実行パターンによって、該大役抽選の結果の示唆または報知がなされる遊技機であって、
予め設定された始動条件の成立により前記大役抽選を実行する抽選手段と、
前記大役抽選によって導出された抽選結果に基づいて、複数の前記要素演出それぞれの実行可否または実行パターンを決定する演出決定手段と、
前記演出決定手段の決定にしたがって前記要素演出を含む前記変動演出を実行制御する演出実行手段と、
前記大役抽選によって前記大当たり結果が導出されるとともに、該大当たり結果を報知する前記変動演出が実行されると、前記大入賞口を開閉制御して前記大役遊技を実行する大役遊技実行手段と、
を備え、
前記変動演出には、前記大役抽選によって前記大当たり結果が導出された場合、および、前記ハズレ結果が導出された場合のいずれか一方または双方で実行が決定される第１の特定変動演出と、該大役抽選によって該大当たり結果が導出された場合に実行が決定される第２の特定変動演出と、が含まれ、
前記演出実行手段は、
前記第１の特定変動演出において、複数の前記要素演出のいずれか１または複数の実行を示唆する示唆演出を実行し、該示唆演出の実行後に前記要素演出を実行し、
前記第２の特定変動演出において、前記示唆演出を開始するとともに、該示唆演出中に、前記大役遊技中もしくは該大役遊技後に遊技者が獲得可能な遊技利益の示唆または報知を行うことを特徴とする遊技機。
【請求項２】
遊技者の操作を受け付ける演出操作部と、
前記演出操作部の操作有無を検出する操作検出手段と、
を備え、
前記第１の特定変動演出および前記第２の特定変動演出では、前記示唆演出の実行中、前記演出操作部の操作が有効となる操作有効期間に設定され、
前記演出実行手段は、
前記操作有効期間中の前記演出操作部の操作検出に基づいて、前記要素演出の実行の示唆、および、前記大役遊技中もしくは該大役遊技後に遊技者が獲得可能な遊技利益の示唆または報知を行うことを特徴とする請求項１に記載の遊技機。
【請求項３】
前記演出実行手段は、
前記示唆演出において、以後に実行される前記要素演出の種別および実行パターンのいずれか一方または双方を示唆することを特徴とする請求項１または２に記載の遊技機。
【請求項４】
前記演出実行手段は、
前記第２の特定変動演出の前記示唆演出中において、前記大役遊技中もしくは該大役遊技後に遊技者が獲得可能な遊技利益の示唆または報知を開始するまでの間に限り、前記要素演出の実行を示唆することを特徴とする請求項１〜３のいずれか１項に記載の遊技機。
【手続補正２】
【補正対象書類名】明細書
【補正対象項目名】０００８
【補正方法】変更
【補正の内容】
【０００８】
上記課題を解決するために、本発明の遊技機は、大入賞口が開放される大役遊技の実行を可能とする大当たり結果、および、該大役遊技を不実行とするハズレ結果を少なくとも含むいずれかの抽選結果を導出する大役抽選が実行されると、複数の要素演出を含んで構成される変動演出が実行され、該変動演出中の各要素演出の実行可否もしくは実行パターンによって、該大役抽選の結果の示唆または報知がなされる遊技機であって、予め設定された始動条件の成立により前記大役抽選を実行する抽選手段と、前記大役抽選によって導出された抽選結果に基づいて、複数の前記要素演出それぞれの実行可否または実行パターンを決定する演出決定手段と、前記演出決定手段の決定にしたがって前記要素演出を含む前記変動演出を実行制御する演出実行手段と、前記大役抽選によって前記大当たり結果が導出されるとともに、該大当たり結果を報知する前記変動演出が実行されると、前記大入賞口を開閉制御して前記大役遊技を実行する大役遊技実行手段と、を備え、前記変動演出には、前記大役抽選によって前記大当たり結果が導出された場合、および、前記ハズレ結果が導出された場合のいずれか一方または双方で実行が決定される第１の特定変動演出と、該大役抽選によって該大当たり結果が導出された場合に実行が決定される第２の特定変動演出と、が含まれ、前記演出実行手段は、前記第１の特定変動演出において、複数の前記要素演出のいずれか１または複数の実行を示唆する示唆演出を実行し、該示唆演出の実行後に前記要素演出を実行し、前記第２の特定変動演出において、前記示唆演出を開始するとともに、該示唆演出中に、前記大役遊技中もしくは該大役遊技後に遊技者が獲得可能な遊技利益の示唆または報知を行うことを特徴とする。
【手続補正３】
【補正対象書類名】明細書
【補正対象項目名】０００９
【補正方法】変更
【補正の内容】
【０００９】
また、遊技者の操作を受け付ける演出操作部と、前記演出操作部の操作有無を検出する操作検出手段と、を備え、前記第１の特定変動演出および前記第２の特定変動演出では、前記示唆演出の実行中、前記演出操作部の操作が有効となる操作有効期間に設定され、前記演出実行手段は、前記操作有効期間中の前記演出操作部の操作検出に基づいて、前記要素演出の実行の示唆、および、前記大役遊技中もしくは該大役遊技後に遊技者が獲得可能な遊技利益の示唆または報知を行うとよい。
【手続補正４】
【補正対象書類名】明細書
【補正対象項目名】００１０
【補正方法】変更
【補正の内容】
【００１０】
また、前記演出実行手段は、前記示唆演出において、以後に実行される前記要素演出の種別および実行パターンのいずれか一方または双方を示唆するとよい。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、前記演出実行手段は、前記第２の特定変動演出の前記示唆演出中において、前記大役遊技中もしくは該大役遊技後に遊技者が獲得可能な遊技利益の示唆または報知を開始するまでの間に限り、前記要素演出の実行を示唆するとよい。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
遊技者に所定の遊技利益を付与するか否かを決定する大役抽選が実行されると、複数の要素演出を含んで構成される変動演出が実行され、該変動演出中の各要素演出の実行可否もしくは実行パターンによって、該大役抽選の結果の示唆または報知がなされる遊技機であって、
予め設定された始動条件の成立により前記大役抽選を実行する抽選手段と、
前記大役抽選の結果に基づいて、複数の前記要素演出それぞれの実行可否または実行パターンを決定する演出決定手段と、
前記演出決定手段の決定にしたがって前記要素演出を含む前記変動演出を実行制御する演出実行手段と、
を備え、
前記変動演出には、複数の前記要素演出のいずれかの実行を示唆する示唆演出が実行される特定変動演出が含まれており、
前記演出実行手段は、
前記特定変動演出において、前記示唆演出で実行を示唆した前記要素演出を識別表示するとともに、該示唆演出の終了後に該要素演出を実行し、該要素演出の実行に伴って、所定の使用演出を実行することを特徴とする遊技機。
【請求項２】
前記演出実行手段は、
前記示唆演出において、実行を示唆した前記要素演出の種別および実行パターンのいずれか一方または双方を報知することを特徴とする請求項１に記載の遊技機。
【請求項３】
遊技者の操作を受け付ける演出操作部と、
前記演出操作部の操作有無を検出する操作検出手段と、
を備え、
前記特定変動演出では、前記示唆演出の実行中、前記演出操作部の操作が有効となる操作有効期間に設定され、
前記演出実行手段は、
前記操作有効期間中の前記演出操作部の操作検出に基づいて、前記要素演出の実行を示唆することを特徴とする請求項１または２に記載の遊技機。
【手続補正２】
【補正対象書類名】明細書
【補正対象項目名】０００８
【補正方法】変更
【補正の内容】
【０００８】
上記課題を解決するために、本発明の遊技機は、遊技者に所定の遊技利益を付与するか否かを決定する大役抽選が実行されると、複数の要素演出を含んで構成される変動演出が実行され、該変動演出中の各要素演出の実行可否もしくは実行パターンによって、該大役抽選の結果の示唆または報知がなされる遊技機であって、予め設定された始動条件の成立により前記大役抽選を実行する抽選手段と、前記大役抽選の結果に基づいて、複数の前記要素演出それぞれの実行可否または実行パターンを決定する演出決定手段と、前記演出決定手段の決定にしたがって前記要素演出を含む前記変動演出を実行制御する演出実行手段と、を備え、前記変動演出には、複数の前記要素演出のいずれかの実行を示唆する示唆演出が実行される特定変動演出が含まれており、前記演出実行手段は、前記特定変動演出において、前記示唆演出で実行を示唆した前記要素演出を識別表示するとともに、該示唆演出の終了後に該要素演出を実行し、該要素演出の実行に伴って、所定の使用演出を実行することを特徴とする。
【手続補正３】
【補正対象書類名】明細書
【補正対象項目名】０００９
【補正方法】変更
【補正の内容】
【０００９】
また、前記演出実行手段は、前記示唆演出において、実行を示唆した前記要素演出の種別および実行パターンのいずれか一方または双方を報知するとよい。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、遊技者の操作を受け付ける演出操作部と、前記演出操作部の操作有無を検出する操作検出手段と、を備え、前記特定変動演出では、前記示唆演出の実行中、前記演出操作部の操作が有効となる操作有効期間に設定され、前記演出実行手段は、前記操作有効期間中の前記演出操作部の操作検出に基づいて、前記要素演出の実行を示唆するとよい。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
遊技者に所定の遊技利益を付与するか否かを決定する大役抽選が実行されると、複数の要素演出を含んで構成される変動演出が実行され、該変動演出中の各要素演出の実行可否もしくは実行パターンによって、該大役抽選の結果の示唆または報知がなされる遊技機であって、
予め設定された始動条件の成立により前記大役抽選を実行する抽選手段と、
前記大役抽選の結果に基づいて、複数の前記要素演出それぞれの実行可否または実行パターンを決定する演出決定手段と、
前記演出決定手段の決定にしたがって前記要素演出を含む前記変動演出を実行制御する演出実行手段と、
遊技者の操作を受け付ける演出操作部と、
前記演出操作部の操作有無を検出する操作検出手段と、
を備え、
前記変動演出には、所定時間に亘って前記演出操作部の操作が有効となる操作有効期間に設定されるとともに、該操作有効期間中の該演出操作部の操作検出に基づいて、複数の前記要素演出のいずれかの実行を示唆する示唆演出が実行される特定変動演出が含まれており、
前記演出実行手段は、
前記示唆演出の終了後に、該示唆演出で実行が示唆された要素演出を実行し、
前記示唆演出において、複数の実行パターンを有する要素演出に対して、異なる実行パターンの該要素演出の実行を、時期を異ならせて複数回示唆する場合があり、該要素演出について異なる実行パターンでの実行が複数回示唆された場合には、複数の実行パターンの中で最後に実行が示唆された実行パターンで該要素演出を実行することを特徴とする遊技機。
【請求項２】
前記要素演出の実行パターンには信頼度が設定されており、
前記演出実行手段は、
前記示唆演出において、いずれかの要素演出について異なる実行パターンでの実行を、時期を異ならせて複数回示唆する場合、既に実行を示唆した実行パターンの信頼度以上の信頼度が設定された実行パターンでの実行のみを示唆し得ることを特徴とする請求項１に記載の遊技機。
【請求項３】
前記演出実行手段は、
前記示唆演出で実行を示唆した前記要素演出を種別ごとに識別表示するとともに、前記示唆演出において、同一種別の要素演出について異なる実行パターンでの実行を、時期を異ならせて複数回示唆する場合、後に示唆した実行パターンを、先に示唆した実行パターンに代えて識別表示することを特徴とする請求項２に記載の遊技機。
【請求項４】
前記演出決定手段は、
前記特定変動演出中の実行を決定した前記要素演出の中から、前記示唆演出において実行を示唆する要素演出の種別および実行パターンを決定し、
前記演出実行手段は、
前記示唆演出中に実行を示唆することが決定された所定の種別の要素演出について、前記演出操作部の操作が検出されずに、該示唆演出中に実行を１度も示唆しなかった場合、該示唆演出の終了後、該所定の種別の要素演出を予め設定された実行パターンで実行するか、もしくは、該所定の要素演出を不実行とすることを特徴とする請求項１〜３のいずれか１項に記載の遊技機。
【手続補正２】
【補正対象書類名】明細書
【補正対象項目名】０００８
【補正方法】変更
【補正の内容】
【０００８】
上記課題を解決するために、本発明の遊技機は、遊技者に所定の遊技利益を付与するか否かを決定する大役抽選が実行されると、複数の要素演出を含んで構成される変動演出が実行され、該変動演出中の各要素演出の実行可否もしくは実行パターンによって、該大役抽選の結果の示唆または報知がなされる遊技機であって、予め設定された始動条件の成立により前記大役抽選を実行する抽選手段と、前記大役抽選の結果に基づいて、複数の前記要素演出それぞれの実行可否または実行パターンを決定する演出決定手段と、前記演出決定手段の決定にしたがって前記要素演出を含む前記変動演出を実行制御する演出実行手段と、遊技者の操作を受け付ける演出操作部と、前記演出操作部の操作有無を検出する操作検出手段と、を備え、前記変動演出には、所定時間に亘って前記演出操作部の操作が有効となる操作有効期間に設定されるとともに、該操作有効期間中の該演出操作部の操作検出に基づいて、複数の前記要素演出のいずれかの実行を示唆する示唆演出が実行される特定変動演出が含まれており、前記演出実行手段は、前記示唆演出の終了後に、該示唆演出で実行が示唆された要素演出を実行し、前記示唆演出において、複数の実行パターンを有する要素演出に対して、異なる実行パターンの該要素演出の実行を、時期を異ならせて複数回示唆する場合があり、該要素演出について異なる実行パターンでの実行が複数回示唆された場合には、複数の実行パターンの中で最後に実行が示唆された実行パターンで該要素演出を実行することを特徴とする。
【手続補正３】
【補正対象書類名】明細書
【補正対象項目名】０００９
【補正方法】変更
【補正の内容】
【０００９】
また、前記要素演出の実行パターンには信頼度が設定されており、前記演出実行手段は、前記示唆演出において、いずれかの要素演出について異なる実行パターンでの実行を、時期を異ならせて複数回示唆する場合、既に実行を示唆した実行パターンの信頼度以上の信頼度が設定された実行パターンでの実行のみを示唆し得るとよい。
【手続補正４】
【補正対象書類名】明細書
【補正対象項目名】００１０
【補正方法】変更
【補正の内容】
【００１０】
また、前記演出実行手段は、前記示唆演出で実行を示唆した前記要素演出を種別ごとに識別表示するとともに、前記示唆演出において、同一種別の要素演出について異なる実行パターンでの実行を、時期を異ならせて複数回示唆する場合、後に示唆した実行パターンを、先に示唆した実行パターンに代えて識別表示するとよい。
【手続補正５】
【補正対象書類名】明細書
【補正対象項目名】００１１
【補正方法】変更
【補正の内容】
【００１１】
また、前記演出決定手段は、前記特定変動演出中の実行を決定した前記要素演出の中から、前記示唆演出において実行を示唆する要素演出の種別および実行パターンを決定し、前記演出実行手段は、前記示唆演出中に実行を示唆することが決定された所定の種別の要素演出について、前記演出操作部の操作が検出されずに、該示唆演出中に実行を１度も示唆しなかった場合、該示唆演出の終了後、該所定の種別の要素演出を予め設定された実行パターンで実行するか、もしくは、該所定の要素演出を不実行とするとよい。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
骨部及び皮部のうちの少なくともいずれか一方が魚介の肉部と一体のまま冷凍された冷凍魚介を切削する削り工程と、
削り肉片を加熱処理する工程とを有しており、
前記削り肉片は、前記魚介の前記肉部と前記魚介の前記骨部及び／又は皮部とが切断されたものであることを特徴とする、魚介加工食品の製造方法。
【請求項２】
前記加熱処理工程は、削り工程で得られた前記削り肉片を揚げる揚げ工程、前記削り肉片を茹でる茹で工程、前記削り肉片を煮る工程、前記削り肉片を蒸す蒸し工程および前記削り肉片を焼く焼き工程のうちの少なくともいずれか一つの工程を行う工程である、請求項１に記載の魚介加工食品の製造方法。
【請求項３】
前記加熱処理工程は、前記焼き工程であり、
当該焼き工程によって得られたものを粉砕する工程をさらに備えている、請求項２に記載の魚介加工食品の製造方法。
【請求項４】
前記削り肉片には、前記骨部及び前記皮部のうちの少なくともいずれか一方と前記肉部とが一体のままの削り肉片が含まれている、請求項１から請求項３のいずれか一項に記載の魚介加工食品の製造方法。
【請求項５】
調味料を加える調味工程を、さらに有しており、
当該調味工程は、前記加熱処理工程が施される前の前記削り肉片及び／又は前記加熱処理工程中の前記削り肉片に対して調味料を加える工程である、請求項１から請求項４のいずれか一項に記載の魚介加工食品の製造方法。
【請求項６】
請求項１から請求項５のいずれか一項に記載の魚介加工食品原料の製造方法で製造された魚介加工食品。
【手続補正書】
【提出日】平成29年12月8日(2017.12.8)
【手続補正１】
【補正対象書類名】明細書
【補正対象項目名】０００７
【補正方法】変更
【補正の内容】
【０００７】
前記課題を解決するために、本発明のネイルプリント装置は、
指の爪に描画を施す描画部と、
上部に前記指が載置される指載置部を有し、前記指載置部により、装置内への前記指の抜き差しが可能な待機位置と、前記待機位置より上方であって前記指の爪に前記描画部による描画を施すことが可能な描画可能位置と、の間で前記指を昇降させる昇降機構と、
前記昇降機構を制御する昇降制御部と、
を備え、
前記昇降制御部は、前記指載置部に載置されている前記指による前記載置部を下方向に押圧する動作に応じて、前記指を前記待機位置から前記描画可能位置まで上昇させる上昇動作及び前記指を前記描画可能位置から前記待機位置まで下降させる下降動作の少なくとも何れかを行うように前記昇降機構を制御することを特徴としている。
【手続補正２】
【補正対象書類名】特許請求の範囲
【補正対象項目名】全文
【補正方法】変更
【補正の内容】
【特許請求の範囲】
【請求項１】
指の爪に描画を施す描画部と、
上部に前記指が載置される指載置部を有し、前記指載置部により、装置内への前記指の抜き差しが可能な待機位置と、前記待機位置より上方であって前記指の爪に前記描画部による描画を施すことが可能な描画可能位置と、の間で前記指を昇降させる昇降機構と、
前記昇降機構を制御する昇降制御部と、
を備え、
前記昇降制御部は、前記指載置部に載置されている前記指による前記載置部を下方向に押圧する動作に応じて、前記指を前記待機位置から前記描画可能位置まで上昇させる上昇動作及び前記指を前記描画可能位置から前記待機位置まで下降させる下降動作の少なくとも何れかを行うように前記昇降機構を制御することを特徴とするネイルプリント装置。
【請求項２】
前記描画部により描画が施される爪の指の上部が、下部に押し当てられる指押さえ部を更に備え、
前記指載置部は、前記指載置部と前記指押さえ部との間に挿入された指を上昇させることによって、前記挿入された指を、前記指載置部の上部と前記指押さえ部の下部との間で把持させることを特徴とする請求項１のネイルプリント装置。
【請求項３】
前記指載置部は、流体の出入によって膨縮可能に構成され、
前記昇降制御部は、前記指載置部に載置されている前記指による前記載置部を押圧する動作に応じた前記指載置部の内圧の変化に基づいて前記昇降機構を制御することを特徴とする請求項１又は請求項２に記載のネイルプリント装置。
【請求項４】
前記昇降機構は、前記指載置部に前記流体を送り込むポンプと、前記指載置部から前記流体を排出させるバルブと、前記指載置部の内圧を検出するセンサと、
を有し、
前記昇降制御部は、前記センサの検出結果に基づいて、前記ポンプによる前記流体の送り込み動作、及び、前記バルブによる流体の排出動作を制御することを特徴とする請求項３に記載のネイルプリント装置。
【請求項５】
前記指載置部は、前記指が前記待機位置にあるときに内圧が第１の圧力値を有し、
前記第１の圧力値よりも一定程度高い圧力の値を第１の閾値とし、
前記昇降制御部は、前記指載置部の内圧が前記第１の圧力値である状態から前記第１の閾値を超えたことが前記センサにより検出されたときに、前記ポンプによる前記流体の送り込み動作を制御して、前記上昇動作を行うように前記指載置部を膨張させることを特徴とする請求項４に記載のネイルプリント装置。
【請求項６】
前記指載置部は、前記指が前記描画可能位置にあるときに内圧が第２の圧力値を有し、
前記第２の圧力値よりも一定程度高い圧力の値を第２の閾値とし、
前記昇降制御部は、前記指載置部の内圧が前記第２の圧力値である状態から前記第２の閾値を超えたことが前記センサにより検出されたときに、前記バルブによる流体の排出動作を制御して、前記下降動作を行うように前記指載置部を収縮させることを特徴とする請求項４又は請求項５に記載のネイルプリント装置。
【請求項７】
前記描画部を制御する描画制御部を有し、
前記描画制御部は、前記指載置部の内圧が前記第２の圧力値まで上昇したことが前記センサにより検出されたときに、前記描画を開始させるように前記描画部を制御することを特徴とする請求項６に記載のネイルプリント装置。
【請求項８】
前記描画制御部は、前記指載置部の内圧が前記第２の圧力値である状態から前記第２の閾値を超えたことが前記センサにより検出されたときに、前記描画を停止させるように前記描画部を制御することを特徴とする請求項６又は請求項７に記載のネイルプリント装置。
【請求項９】
爪に描画を施すネイルプリント装置の描画方法であって、
前記ネイルプリント装置は、指の前記爪に描画を施す描画部と、上部に前記指が載置される指載置部を有し、装置内への前記指の抜き差しが可能な待機位置と、前記待機位置より上方であって前記指の爪に前記描画部による描画を施すことが可能な描画可能位置と、の間で前記指を昇降させる昇降動作を前記指載置部により行う昇降機構と、を備え、
前記指載置部に載置されている前記指による前記載置部を下方向に押圧する動作に応じて、前記指を前記待機位置から前記描画可能位置まで上昇させる上昇動作と、前記指を前記描画可能位置から前記待機位置まで下降させる下降動作と、の少なくとも何れかを行うように前記昇降機構を制御することを特徴とするネイルプリント装置の描画方法。
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
眼球運動を測定する頭部装着可能デバイスであって、
フレームと、
第１のカメラを備えるカメラ・システムであり、前記フレームに結合され、ユーザの第１の眼の第１のセットの画像を前記第１の眼の前記第１のセットの画像を処理するように構成された処理ユニットに提供するように構成されたカメラ・システムと、
第１の制御信号に少なくとも部分的には基づいて前記第１の眼への光の通過を制御するように構成された第１の液晶ディスプレイ（ＬＣＤ）シャッタであり、第１の１次モードおよび第１の２次モードで動作するように構成され、前記第１の２次モードでは、前記第１の１次モードのときより前記第１の眼に到達する光を少なくするように構成された第１のＬＣＤシャッタとを備える、頭部装着可能デバイス。
【請求項２】
前記第１の眼の画像を前記第１のカメラに向かって反射する第１の鏡をさらに備える、請求項１に記載の頭部装着可能デバイス。
【請求項３】
第２の制御信号に少なくとも部分的には基づいて前記ユーザの第２の眼への光の通過を制御するように構成された第２の液晶ディスプレイ（ＬＣＤ）シャッタであり、第２の１次モードおよび第２の２次モードで動作するように構成され、前記第２の２次モードでは、前記第２の１次モードのときより前記第２の眼に到達する光を少なくするように構成された第２のＬＣＤシャッタをさらに備える、請求項１に記載の頭部装着可能デバイス。
【請求項４】
眼球運動を測定する頭部装着可能デバイスであって、
フレームと、
第１のカメラを備えるカメラ・システムであり、前記フレームに結合され、ユーザの第１の眼の第１のセットの画像を提供するように構成されたカメラ・システムと、
第１の制御信号に少なくとも部分的には基づいて前記第１の眼への光の通過を制御するように構成された第１の液晶ディスプレイ（ＬＣＤ）シャッタであり、第１の１次モードおよび第１の２次モードで動作するように構成され、前記第１の２次モードでは、前記第１の１次モードのときより前記第１の眼に到達する光を少なくするように構成された第１のＬＣＤシャッタと、
第２の制御信号に少なくとも部分的には基づいて前記ユーザの第２の眼への光の通過を制御するように構成された第２の液晶ディスプレイ（ＬＣＤ）シャッタであり、第２の１次モードおよび第２の２次モードで動作するように構成され、前記第２の２次モードでは、前記第２の１次モードのときより前記第２の眼に到達する光を少なくするように構成された第２のＬＣＤシャッタを備えており、
前記第１のＬＣＤシャッタが、前記第１の制御信号および共通制御信号に基づいて前記第１のＬＣＤシャッタを通る光の通過を制御するように構成され、前記第２のＬＣＤシャッタが、前記第２の制御信号および前記共通制御信号に基づいて前記第２のＬＣＤシャッタを通る光の通過を制御するように構成される、頭部装着可能デバイス。
【請求項５】
前記第１の制御信号、前記第２の制御信号、および／または前記共通制御信号が、交流（ＡＣ）信号、および／または双極性方形波電圧信号を含む、請求項４に記載の頭部装着可能デバイス。
【請求項６】
前記第１の制御信号、前記第２の制御信号、および前記共通制御信号のうちの少なくとも１つの電圧が、２から１４ボルトのいずれかである、請求項４に記載の頭部装着可能デバイス。
【請求項７】
前記カメラ・システムが、前記ユーザの第２の眼の第２のセットの画像を提供するように構成される、請求項１に記載の頭部装着可能デバイス。
【請求項８】
前記カメラ・システムが、前記第２のセットの画像を提供するように構成された第２のカメラを備える、請求項７に記載の頭部装着可能デバイス。
【請求項９】
前記カメラ・システムが、第１のフレーム・レートで前記第１のセットの画像を提供するように構成され、前記第１のフレーム・レートが、前記第１の眼の眼球サッケードの検出を可能にするのに十分である、請求項１に記載の頭部装着可能デバイス。
【請求項１０】
前記第１のセットの画像に基づいて処理ユニット出力を提供するように構成された前記処理ユニットをさらに備える、請求項１に記載の頭部装着可能デバイス。
【請求項１１】
前記第１の制御信号が、前記処理ユニットによって制御される、請求項１０に記載の頭部装着可能デバイス。
【請求項１２】
前記第１のセットの画像に基づいてデバイス出力を提供するインタフェースをさらに備える、請求項１に記載の頭部装着可能デバイス。
【請求項１３】
前記フレームが、前記カメラ・システムおよび前記第１のＬＣＤシャッタを収容する、請求項１に記載の頭部装着可能デバイス。
【請求項１４】
頭部装着可能デバイスによって実行される方法であり、前記頭部装着可能デバイスが、フレームと、前記フレームに結合された、第１のカメラを備えるカメラ・システムと、第１の制御信号に少なくとも部分的には基づいてユーザの第１の眼への光の通過を制御するように構成された第１の液晶ディスプレイ（ＬＣＤ）シャッタとを備え、前記第１のＬＣＤシャッタが、第１の１次モードおよび第１の２次モードで動作するように構成され、前記第１の２次モードでは、前記第１の１次モードのときより前記第１の眼に到達する光を少なくするように構成されている方法であって、
前記第１のＬＣＤシャッタの動作によって前記第１の眼への光の通過を調節するステップと、
処理ユニットによる処理のために、前記カメラ・システムによって前記第１の眼の第１のセットの画像を提供するステップとを含む、方法。
【請求項１５】
前記第１のセットの画像に基づいてデバイス出力を提供するステップをさらに含む、請求項１４に記載の方法。
【請求項１６】
前記フレームに配置された前記処理ユニットをさらに備える、請求項１に記載の頭部装着可能デバイス。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
カメラによって被写体を撮影し、写真画像を生成する写真画像生成手段と、
表示画面上の編集領域において、前記写真画像についての編集入力を受け付ける編集入力受付手段とを備え、
前記編集入力受付手段は、
利用者の選択した編集画像を前記写真画像が配置された前記編集領域において前記利用者の操作に応じた位置に配置する編集画像入力受付手段と、
前記利用者の選択した最前配置用編集画像を、前記写真画像が配置された前記編集領域において、最前面に配置する最前配置用編集画像入力受付手段とを含み、
前記最前配置用編集画像入力受付手段は、前記最前配置用編集画像を前記編集領域に配置した後、前記編集画像入力受付手段によって前記編集領域に前記編集画像が配置され、さらに、後の最前配置用編集画像が選択された場合、先に選択され前記編集領域に配置されている先の前記最前配置用編集画像を削除し、後に選択された前記後の最前配置用編集画像を、前記編集領域の最前面に配置する、写真撮影遊戯機。
【請求項２】
請求項１に記載の写真撮影遊戯機であって、
前記最前配置用編集画像入力受付手段は、前記編集領域の予め決められた位置に、前記最前配置用編集画像を配置する、写真撮影遊戯機。
【請求項３】
請求項１又は２に記載の写真撮影遊戯機であって、
前記最前配置用編集画像入力受付手段は、前記編集領域に配置された前記最前配置用編集画像の透明度及び色の少なくとも１つを調整する操作を受け付ける、写真撮影遊戯機。
【請求項４】
請求項１から３のいずれか１項に記載の写真撮影遊戯機であって、
前記編集画像入力受付手段は、前記編集領域に配置された前記編集画像を削除する操作を受け付け、
前記最前配置用編集画像入力受付手段は、前記編集領域に配置された前記最前配置用編集画像を削除する操作を、前記編集画像を削除する操作とは別に受け付ける、写真撮影遊戯機。
【請求項５】
請求項１から４のいずれか１項に記載の写真撮影遊戯機であって、
前記最前配置用編集画像入力受付手段は、前記利用者が最前配置用編集画像を選択した場合、前記編集領域の最前面のレイヤに前記選択された最前配置用編集画像を配置し、その後に、後の最前配置用編集画像が選択された場合、先の前記最前配置用編集画像が配置された前記レイヤをクリアし、前記後の最前配置用編集画像を最前面のレイヤに配置する、写真撮影遊戯機。
【請求項６】
カメラを備えた写真撮影遊戯機の制御プログラムであって、コンピュータに、
前記カメラによって被写体を撮影し、写真画像を生成する写真画像生成ステップと、
表示画面上の編集領域において、前記写真画像についての編集入力を受け付ける編集入力受付ステップと、を実行させ、
前記編集入力受け付けステップは、
利用者の選択した編集画像を前記写真画像が配置された前記編集領域において前記利用者の操作に応じた位置に配置する編集画像入力受付ステップと、
前記利用者の選択した最前配置用編集画像を、前記写真画像が配置された前記編集領域において、最前面に配置する最前配置用編集画像入力受付ステップとを含み、
前記最前配置用編集画像入力受付ステップは、前記最前配置用編集画像を前記編集領域に配置した後、前記編集画像入力受付ステップで前記編集領域に前記編集画像が配置され、さらに、後の最前配置用編集画像が選択された場合、先に選択され前記編集領域に配置されている先の前記最前配置用編集画像を削除し、後に選択された前記後の最前配置用編集画像を、前記編集領域の最前面に配置するステップを含む、制御プログラム。
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
少なくとも１つのレンタル車両を保管することが可能な複数のステーションの各々において、ユーザによって携帯される通信機器を用いることにより、前記少なくとも１つのレンタル車両の貸出をユーザに対して行う車両レンタル・システムであって、
各ステーションにおいて、固有のステーションＩＤを、当該ステーションに居る不特定複数人または特定複数人のユーザの通信機器に向けて、かつ、当該ステーションのエリア外では正常に受信できないように発信するステーション側ユニットと、
各レンタル車両において、固有の車両ＩＤを、対応するステーションに居るユーザであって当該レンタル車両の貸出を希望するものに、そのユーザの通信機器がコンピュータ読み取り可能な状態で提示する車両側ユニットと、
通信機器と通信可能な管理サーバと
を含み、
いずれかのステーションに居るユーザの通信機器は、前記いずれかのステーションの前記ステーション側ユニットから前記ステーションＩＤを取得し、前記いずれかのステーションに保管されている少なくとも１つのレンタル車両のうちユーザが選択した選択レンタル車両の前記車両側ユニットから前記車両ＩＤを取得し、それら取得したステーションＩＤおよび車両ＩＤを前記管理サーバに送信し、
その管理サーバは、それら受信したステーションＩＤおよび車両ＩＤに基づき、前記選択レンタル車両をユーザに貸し出しことを許可する車両レンタル・システム。
【請求項２】
前記管理サーバは、
ユーザの通信機器から受信したステーションＩＤが、前記複数のステーションにそれぞれ割り当てられた複数のステーションＩＤのいずれかと一致するとき、当該ステーションＩＤが真正であると判定するステーションＩＤ真正判定部と、
ユーザの通信機器から受信した車両ＩＤが、前記複数のステーションに保管されている複数のレンタル車両にそれぞれ割り当てられた複数の車両ＩＤのいずれかと一致するとき、当該車両ＩＤが真正であると判定する車両ＩＤ真正判定部と、
ユーザの通信機器から受信したステーションＩＤと車両ＩＤとのいずれも真正であると判定されることを条件に、前記選択レンタル車両をユーザに貸し出しことを許可する許可部と
を含む請求項１に記載の車両レンタル・システム。
【請求項３】
前記レンタル車両は、レンタカー、貸し自動二輪車または貸し自転車を含む請求項１または２に記載に車両レンタル・システム。
【請求項４】
各レンタル車両は、真正な暗証番号によって解錠する錠を有し、
前記管理サーバは、
複数の車両ＩＤと複数の暗証番号との間の対応関係に従い、ユーザの通信機器から受信した車両ＩＤに対応する暗証番号を取得する暗証番号取得部と、
その取得された暗証番号をユーザの通信機器に送信する送信部と
を含む請求項１ないし３のいずれかに記載に車両レンタル・システム。
【請求項５】
請求項１ないし４のいずれかに記載の通信機器を実施するためにその通信機器のコンピュータによって実行されるプログラム。
【請求項６】
請求項１ないし４のいずれかに記載の管理サーバを実施するためにその管理サーバのコンピュータによって実行されるプログラム。
【請求項７】
請求項５または６に記載のプログラムをコンピュータ読み取り可能に記録した記録媒体。
【手続補正２】
【補正対象書類名】明細書
【補正対象項目名】発明の名称
【補正方法】変更
【補正の内容】
【発明の名称】車両レンタル・システム
【手続補正３】
【補正対象書類名】明細書
【補正対象項目名】００２０
【補正方法】変更
【補正の内容】
【００２０】
その課題を解決するために、本発明のあるアスペクトによれば、少なくとも１つのレンタル車両を保管することが可能な複数のステーションの各々において、ユーザによって携帯される通信機器を用いることにより、前記少なくとも１つのレンタル車両の貸出をユーザに対して行う車両レンタル・システムであって、
各ステーションにおいて、固有のステーションＩＤを、当該ステーションに居る不特定複数人または特定複数人のユーザの通信機器に向けて、かつ、当該ステーションのエリア外では正常に受信できないように発信するステーション側ユニットと、
各レンタル車両において、固有の車両ＩＤを、対応するステーションに居るユーザであって当該レンタル車両の貸出を希望するものに、そのユーザの通信機器がコンピュータ読み取り可能な状態で提示する車両側ユニットと、
通信機器と通信可能な管理サーバと
を含み、
いずれかのステーションに居るユーザの通信機器は、前記いずれかのステーションの前記ステーション側ユニットから前記ステーションＩＤを取得し、前記いずれかのステーションに保管されている少なくとも１つのレンタル車両のうちユーザが選択した選択レンタル車両の前記車両側ユニットから前記車両ＩＤを取得し、それら取得したステーションＩＤおよび車両ＩＤを前記管理サーバに送信し、
その管理サーバは、それら受信したステーションＩＤおよび車両ＩＤに基づき、前記選択レンタル車両をユーザに貸し出しことを許可する車両レンタル・システムが提供される。
また、本発明の第１側面によれば、少なくとも１つのレンタル対象を保管することが可能な複数のステーションの各々において前記少なくとも１つのレンタル対象の貸出および返却をユーザに対して行うレンタル・システムであって、各ステーション位置に関連付けて、暗号化前の情報を暗号化アルゴリズムを用いて暗号化することにより、時刻に関してもステーション位置に関しても動的である暗号を時々刻々生成する暗号化部と、各ステーションにおいて、前記生成された暗号を各ステーションに居るユーザに提供する提供部とを含むレンタル・システムが提供される。